(57)【要約】【課題】  各画素を構成する複数の副画素から出力される信号の偽色、偽解像の影響を緩和し、焦点検出精度を向上させること。【解決手段】  複数のマイクロレンズのそれぞれに対して、予め決められた方向に並べられた複数の光電変換部を備え、瞳分割された信号を読み出すことが可能な複数の画素を有する撮像素子と、前記撮像素子の前面に配置された光学ローパスフィルタとを有し、前記光学ローパスフィルタは、１枚の複屈折板で構成され、前記複数の光電変換部の並び方向に光線を分離する。【選択図】  図４
2018032948.tif 000002
【特許請求の範囲】
【請求項１】
複数のマイクロレンズのそれぞれに対して、予め決められた方向に並べられた複数の光電変換部を備え、瞳分割された信号を読み出すことが可能な複数の画素を有する撮像素子と、
前記撮像素子の前面に配置された光学ローパスフィルタとを有し、
前記光学ローパスフィルタは、１枚の複屈折板で構成され、前記複数の光電変換部の並び方向に光線を分離することを特徴とする撮像ユニット。
【請求項２】
前記光学ローパスフィルタは複屈折水晶板であって、前記光学ローパスフィルタの中心軸は水晶結晶軸に対して傾いており、且つ、前記中心軸と前記水晶結晶軸とが成す面と、前記並び方向が平行であることを特徴とする請求項１に記載の撮像ユニット。
【請求項３】
前記光学ローパスフィルタの複屈折作用により必要な光線分離幅をδ、前記光学ローパスフィルタの厚みをｔ（mｍ）、前記光学ローパスフィルタの厚み１ｍｍにつき分離される光線分離幅をｈ（μｍ）とすると、
ｔ（mm）＝δ／ｈ（μｍ）
であることを特徴とする請求項２に記載の撮像ユニット。
【請求項４】
前記光学ローパスフィルタを振動させる加振手段を更に有することを特徴とする請求項１乃至３のいずれか１項に記載の撮像ユニット。
【請求項５】
請求項１乃至４のいずれか１項に記載の撮像ユニットを有することを特徴とする撮像装置。
【発明の詳細な説明】
【技術分野】
【０００１】
本発明は、撮像ユニット及び撮像ユニットを搭載した撮像装置に関する。
【背景技術】
【０００２】
従来からデジタルカメラ等の撮像装置において、光学ローパスフィルタ、及び赤外吸収フィルタを有する光学フィルタが撮像素子の前面に配置されている。光学ローパスフィルタは、ＣＣＤやＣＭＯＳ等からなる撮像素子における被写界像の擬似信号による偽色発生を抑制する。このような光学ローパスフィルタとしては、複屈折作用を利用した水晶板等が広く使われている。また赤外吸収フィルタは、撮像素子の感度を人間の視感度に近似させる。
【０００３】
一方、撮像面位相差方式の焦点検出では、撮像光学系の異なる射出瞳領域を通過した光束を、撮像素子の画素前面に配置されたマイクロレンズを介して、複数の光電変換素子により受光する。そして、その受光量に応じて出力される信号のずれ量に基づいて、合焦に必要なレンズの駆動量を求めることで実現されている。撮像面位相差方式の焦点検出は、従来から行われてきたコントラスト方式の焦点検出に比べて、一般的に高速であり、被写体の動きから予測制御を行うことができるという特徴がある。
【０００４】
特許文献１は、撮像面位相差方式の焦点検出機能を有する撮像素子と光学ローパスフィルタとの関係について開示している。特許文献１に記載された撮像素子では、撮像素子を構成する一部の画素を、２画素で一対の焦点検出画素として構成している。焦点検出画素は、カラーフィルタに覆われておらず、受光領域が撮像画像と比べて狭いことから、焦点検出画素から出力される信号を撮像画像を形成する信号として用いることができない。従って、撮影画像としては、焦点検出画素の画素領域の情報が欠落することとなり、焦点検出画素の画素領域の周辺画素を用いて欠落情報を補間して生成する必要がある。
【０００５】
特許文献１では、この問題に対して、焦点検出用の複数の画素の並び方向と垂直な方向、つまりこの図Ｇ（ａ）の撮像素子の場合は、カメラ垂直方向にフィルタ効果、つまりは光線分離がなされるように複屈折水晶板を設定している。このように設定することで、焦点検出画素の画素領域の被写体情報（輝度、色）が、画素領域の上ないしは下の隣接画素に含まれることになり、欠落情報を補間する精度を高めることができることを開示している。
【０００６】
一方、特許文献２に示された撮像素子は、１つの画素部に２つの副画素が形成されており、該２つの副画素は、画素部の中心から＋Ｘ方向および−Ｘ方向にそれぞれ偏心して配置されているため、１つのマイクロレンズによって瞳分割が可能となっている。さらに２つの副画素信号を撮影画像信号としても使用するため、撮像素子の全領域での位相差焦点検出が可能となっている。つまり、焦点検出専用の画素が存在しないため、特許文献１のように光学ローパスフィルタの効果を用いて焦点検出専用の画素信号を補間する必要は無くなる。
【先行技術文献】
【特許文献】
【０００７】
【特許文献１】特開２０１３−５４１２１号公報
【特許文献２】特開２０１４−２２８８１８号公報
【発明の概要】
【発明が解決しようとする課題】
【０００８】
しかしながら特許文献２においては、１つの画素を２つの副画素に分割し、各々の信号を撮影画像と焦点検出の両方に用いることが可能な撮像素子と、光学ローパスフィルタ特性との関係、つまりは偽色、偽解像をいかに緩和すべきかを明らかにしていない。
【０００９】
本発明は上記問題点を鑑みてなされたものであり、各画素を構成する複数の副画素から出力される信号の偽色、偽解像の影響を緩和し、焦点検出精度を向上させることを目的とする。
【課題を解決するための手段】
【００１０】
上記目的を達成するために、本発明の撮像ユニットは、複数のマイクロレンズのそれぞれに対して、予め決められた方向に並べられた複数の光電変換部を備え、瞳分割された信号を読み出すことが可能な複数の画素を有する撮像素子と、前記撮像素子の前面に配置された光学ローパスフィルタとを有し、前記光学ローパスフィルタは、１枚の複屈折板で構成され、前記複数の光電変換部の並び方向に光線を分離することを特徴とする。
【発明の効果】
【００１１】
本発明によれば、各画素を構成する複数の副画素から出力される信号の偽色、偽解像の影響を緩和し、焦点検出精度を向上させることが可能となる。
【図面の簡単な説明】
【００１２】
【図１】本発明の実施形態におけるカメラの概略構成を示す断面図。
【図２】実施形態におけるカメラの機能構成を示すブロック図。
【図３】実施形態における光学フィルタ及び撮像素子周辺の断面拡大図。
【図４】実施形態における光学フィルタと撮像素子の位置関係を示す斜視図。
【図５】実施形態における撮像素子の説明図。
【発明を実施するための形態】
【００１３】
以下、添付図面を参照して本発明を実施するための形態を詳細に説明する。
【００１４】
図１は、本発明を適用した実施形態における撮像装置の一例として、デジタル一眼レフカメラ１００の概略構成を示す断面図である。本実施形態のカメラ１００は、着脱可能なレンズユニットとカメラ本体とから構成されている場合について説明するが、一体型のカメラであってもよい。
【００１５】
撮影レンズ１０５は、カメラ１００のカメラ本体に着脱可能なレンズユニットに内蔵されている。なお、図１では図の簡略化のために１枚のレンズにより撮影レンズ１０５を表しているが、実際には、フォーカスレンズを含む複数のレンズを含んで構成される。撮影レンズ１０５を介してカメラ本体に入射した被写界光は、メインミラー１２１及びサブミラー１２２が光路上に挿入されている場合、その一部が半透過のメインミラー１２１を通過する。そして、サブミラー１２２により反射されて、公知の位相差方式焦点検出ユニット１２９に導かれる。位相差方式焦点検出ユニット１２９は、フィールドレンズ１２３、２次結像レンズ１２４、焦点検出用の一対のＣＭＯＳラインセンサ１１９を含み、ファインダ画面上には焦点検出が可能な領域が表示される。位相差方式焦点検出ユニット１２９により、撮影レンズ１０５により結像された被写界光の焦点が、撮像素子１０６の受光面に対してどの方向にどれ位ずれているかを示す、いわゆるデフォーカス量として検出することができる。
【００１６】
カメラ１００の動作を制御するＣＰＵ（中央演算処理装置）１０１は、算出されたデフォーカス量に対して、撮影レンズ１０５のレンズ駆動敏感度（レンズ固有の制御の細かさ）を考慮し、撮影レンズ１０５に含まれるフォーカスレンズの駆動量を求める。そして、レンズユニット内に設けられた撮影レンズ駆動制御部１２５にフォーカスレンズを駆動させるための駆動量パルスを送る。撮影レンズ駆動制御部１２５は、送られてきたパルスに応じてパルスモータを駆動させ、フォーカスレンズを合焦位置に駆動させることで自動焦点調節を行う。
【００１７】
また、メインミラー１２１により反射された被写界光は、撮影レンズ１０５の撮像素子１０６の結像面と共役な面に置かれたピント板１２８上に結像される。カメラの撮影者はピント板１２８に結像した被写界像を、ペンタプリズム１２７及び接眼レンズ１２６を介して観察することができ、いわゆるＴＴＬ方式の光学ファインダ構成となっている。
【００１８】
また、ピント板１２８上に結像された被写界像は、ペンタプリズム１２７を介し、結像レンズ１３０によって、撮影被写界の可視光の輝度を測定する測光センサ１３１上に２次結像される。測光センサ１３１が、例えば、３×５に分割された受光領域を有している場合、カメラ１００のファインダ視野（被写界領域）の主要領域を３×５の領域に分割して測光することができる。
【００１９】
一方、撮影者が後述するレリーズＳＷを押下すると、メインミラー１２１及びサブミラー１２２は光路から退避する。そして、撮影レンズ１０５によって集光された被写界光は、フォーカルプレーンシャッタ１３３によって、撮影レンズ１０５から撮像素子１０６に到達する光量を制御する光量制御される。次に、シャッタ１３３により光量制御された被写界光は、シャッタ１３３と撮像素子１０６との間に配置された光学フィルタ３００により、高周波成分が減衰されるとともに、光束の赤外波長成分がカットされる。なお、光学フィルタ３００の構成については、詳細に後述する。
【００２０】
光学フィルタ３００を通過した被写界光は、ＣＭＯＳセンサ等の撮像素子１０６によって被写界像として光電変換処理された後、画像データとしてフラッシュメモリ等の記録媒体に記録される。一方で、得られた画像データは、撮影済み画像としてＴＦＴカラー液晶からなる表示部１３２に表示される。
【００２１】
なお撮像素子１０６から出力された信号を用いて、後述する撮像面位相差方式の焦点検出動作が可能である。そのため、メインミラー１２１及びサブミラー１２２を光路から退避させ、フォーカルプレーンシャッタ１３３を開放した状態で撮影を行う、いわゆるライブビュー撮影時の焦点検出に使用することができる。この場合、ＣＰＵ１０１は、撮像面位相差方式の焦点検出動作により得られたデフォーカス量に基づいてフォーカスレンズを駆動させるための駆動量を求めて、駆動量パルスを撮影レンズ駆動制御部１２５に送る。
【００２２】
図２は、図１に示すカメラ１００の機能構成を示すブロック図であり、図１に示した構成要素と同一の構成要素には同一の符号を付して説明する。ＣＰＵ１０１には、制御プログラムを記憶しているＲＯＭ（リードオンリーメモリ）１０２、ＲＡＭ（ランダムアクセスメモリ）１０３、データ格納部１０４が接続されている。更にＣＰＵ１０１には、画像処理部１０８、振動制御部１０９、ＬＣＤ制御部１１１、レリーズスイッチ（ＳＷ）１１４、ＤＣ／ＤＣコンバータ１１７、焦点検出制御部１２０、撮影レンズ駆動制御部１２５、測光センサ１３１が接続されている。
【００２３】
画像処理部１０８には、撮像素子制御部１０７が接続され、撮像素子制御部１０７は撮像素子１０６に接続する。撮像素子１０６は、例えば、有効画素数約２０００万画素（５４７２×３６４８）を有するものとする。撮像素子制御部１０７は、撮像素子１０６に転送クロック信号やシャッタ信号を供給するためのタイミングジェネレータ、撮像素子出力信号のノイズ除去、ゲイン処理を行うための回路、アナログ信号をデジタル信号に変換するためのＡ／Ｄ変換回路等を含む。画像処理部１０８は、撮像素子制御部１０７より出力されたデジタル信号に対して、ガンマ変換、色空間変換、ホワイトバランス、ＡＥ、フラッシュ補正等の画像処理を行い、ＹＵＶ（４：２：２）フォーマットの画像データを出力する。
【００２４】
ＬＣＤ制御部１１１には、表示駆動部１１２が接続され、表示駆動部１１２は表示部１３２に接続する。ＬＣＤ制御部１１１は、画像処理部１０８から転送されたＹＵＶデジタル画像データ、或いはデータ格納部１０４の中の画像ファイルに対してＪＰＥＧの解凍を行ったＹＵＶデジタル画像データを受け取る。そして、ＲＧＢデジタル信号へ変換した後、表示駆動部１１２に出力する処理を行う。表示駆動部１１２は、表示部１３２を駆動するための制御を行う。表示部１３２は、撮像素子１０６で撮像された画像を変換処理した、例えば約９２万ドット（ＶＧＡ：６４０×４８０画素）からなる画像を表示する。
【００２５】
振動素子３０５は、例えば、ピエゾ圧電素子等により構成され、光学フィルタ３００の撮影レンズ１０５側に配置された後述する複屈折水晶板に接着固定されており、異物除去のために振動を発生する加振手段となっている。振動制御部１０９は、振動素子３０５を振動させるための回路を含み、ＣＰＵ１０１が振動制御部１０９に命令を行って振動制御を行っている。
【００２６】
ＣＰＵ１０１は、ＲＯＭ１０２内の制御プログラムに基づいて各種制御を行う。これらの制御は、画像処理部１０８から出力された画像信号を読み込み、ＲＡＭ１０３へＤＭＡ転送を行う処理や、ＲＡＭ１０３より表示駆動部１１２へデータをＤＭＡ転送する処理を含む。また、画像データをＪＰＥＧ圧縮し、ファイル形式でデータ格納部１０４へ格納する処理を含む。さらに、ＣＰＵ１０１は、撮像素子１０６、撮像素子制御部１０７、画像処理部１０８、ＬＣＤ制御部１１１等に対してデータ取り込み画素数やデジタル画像処理の変更指示を行う。
【００２７】
焦点検出制御部１２０は、位相差方式焦点検出ユニット１２９に含まれる焦点検出用の一対のＣＭＯＳラインセンサ１１９から得た電圧をＡ／Ｄ変換して、ＣＰＵ１０１に送る。また、ＣＰＵ１０１の指示の下で、焦点検出制御部１２０はＣＭＯＳラインセンサ１１９の蓄積時間とＡＧＣ（オートゲインコントロール）の制御も行う。ＣＰＵ１０１は、焦点検出制御部１２０から送られてきた信号を処理することで、主要被写体に対する現在の焦点検出状態から主要被写体が合焦に至るためのレンズ駆動量を算出し、撮影レンズ駆動制御部１２５に指示を与える。撮影レンズ駆動制御部１２５は、該指示に基づいて撮影レンズ１０５の中の焦点調節レンズを移動させることで、主被写体に合焦させることができる。
【００２８】
測光センサ１３１は、被写界の輝度を検出して、ＣＰＵ１０１に信号を送る。ＣＰＵ１０１は、この輝度情報に基づいてカメラの露光量を算出し、シャッタ秒時、撮影レンズ１０５の絞り値のいずれか、或いは両方を決定する。
【００２９】
ＣＰＵ１０１は、レリーズＳＷ１１４の操作に伴う撮影動作の指示、さらに各素子への電源の供給をコントロールするための制御信号をＤＣ／ＤＣコンバータ１１７に対して出力する処理等も制御する。ＤＣ／ＤＣコンバータ１１７には、電源を供給する電池１１６が接続する。電池１１６は、リチャーチャブルの２次電池或いは乾電池である。ＤＣ／ＤＣコンバータ１１７は、電池１１６からの電源供給を受け、昇圧、レギュレーションを行うことにより複数の電源を作り出し、ＣＰＵ１０１を初めとする各素子に必要な電圧の電源を供給する。これにより、ＤＣ／ＤＣコンバータ１１７は、ＣＰＵ１０１の制御の下で、各々の電圧の供給開始、停止を制御することができる。
【００３０】
ＲＡＭ１０３は、画像展開エリア１０３ａ、ワークエリア１０３ｂ、ＶＲＡＭ１０３ｃ、一時退避エリア１０３ｄを備える。画像展開エリア１０３ａは、画像処理部１０８より送られてきた撮影画像（ＹＵＶデジタル信号）やデータ格納部１０４から読み出されたＪＰＥＧ圧縮画像データを一時的に格納するためのテンポラリバッファとして使用される。また、画像圧縮処理、解凍処理のための画像専用ワークエリアとして使用される。ワークエリア１０３ｂは、各種プログラムのためのワークエリアである。ＶＲＡＭ１０３ｃは、表示部１３２へ表示する表示データを格納するＶＲＡＭとして使用される。また、一時退避エリア１０３ｄは各種データを一時退避させるためのエリアとして使用される。
【００３１】
データ格納部１０４は、ＣＰＵ１０１によりＪＰＥＧ圧縮された撮影画像データ、或いはアプリケーションより参照される各種付属データ等をファイル形式で格納しておくためのフラッシュメモリである。
【００３２】
レリーズＳＷ１１４は、撮影動作の開始を指示するためのスイッチであり、不図示のレリーズボタンの押下圧によって、２段階のスイッチポジションがある。１段目のポジション（ＳＷ１-ＯＮ）の検出で、ホワイトバランス、ＡＥ等のカメラ設定のロック動作が行われ、２段目のポジション（ＳＷ２-ＯＮ）の検出で、被写界画像信号の取り込み動作が行われる。
【００３３】
以下、図３及び図４を参照して、光学フィルタ３００についての詳細な説明を行う。図３は、光学フィルタ３００及び撮像素子１０６周辺の断面拡大図である。本実施形態のデジタル一眼レフカメラ１００は、撮像素子１０６のカラーフィルタの配列（ベイヤー配列）における撮影画像の偽色発生を抑制するために、水平２点分離を行う光学ローパスフィルタを採用している。
【００３４】
本来であれば、ベイヤー配列の撮像素子では、水晶の塊から水晶結晶軸に対して例えば４５°で切り出し、カット方向を０°、９０°と変えた複屈折水晶板２枚と、その間に偏光解消を行う水晶偏光解消板（λ／４板）の３枚の水晶板からなる光学ローパスフィルタを配置すれば、被写体の上下、左右方向に対して偽色、偽解像を防止できる。
【００３５】
しかしながら、コストダウン、あるいは総合的な解像力を重視するために、１枚の複屈折水晶板を用いた、つまり一方向のみのローパス効果しか与えないというカメラの仕様のものも多く存在している。本実施形態は、１枚の複屈折板からなる光学ローパスフィルタを有するカメラに関するものである。
【００３６】
ここで光学フィルタ３００を構成する複屈折水晶板３０１の回転角を０°であり、被写界からの光線を水平方向に２つに分離する光学ローパスフィルタを構成する。赤外吸収フィルタ３０３は、撮像素子１０６の分光感度と人間の視感度を略一致させる役目を持つ。
【００３７】
一方、複屈折水晶板３０１の撮影レンズ１０５側の表面に付着する塵埃等の異物を除去するために、複屈折水晶板３０１に振動を行わせる振動素子３０５が複屈折水晶板３０１の上端部に接着固定されている。振動素子３０５は、圧電体と内部電極とを交互に積層してなる積層型の圧電素子であり、積層方向により大きな振幅（変位）を発生するため、複屈折水晶板３０１を撮影光軸に直交する方向に大きく振動変位させることができる。
【００３８】
フィルタ保持部材３０７と複屈折水晶板３０１との間に介在させた弾性部材３０４は、エラストマー（高分子物質）で形成されている。押圧部材３０６はバネ性を有した金属板から成り、押圧部材３０６が複屈折水晶板３０１を弾性部材３０４に押圧することにより、複屈折水晶板３０１はフィルタ保持部材３０７に対し浮遊保持される。これによって振動素子３０５の伸縮に追従した複屈折水晶板３０１の振動が許容されるとともに、振動により複屈折水晶板３０１が傷つくことが防止される。また同時に複屈折水晶板３０１は、周囲四辺の近傍で、フィルタ保持部材３０７に対して弾性部材３０４を介して隙間がないように密閉されている。３０８は粘着シートであり、複屈折水晶板３０１と赤外吸収フィルタ３０３で構成されるフィルタユニットと撮像素子１０６の保護部材であるカバーガラス１０６ｃとの間に、埃や塵等が入らないように密着固定するためのものである。
【００３９】
図４は、図３で説明した複屈折水晶板３０１と撮像素子１０６の位置関係を示す斜視図であり、赤外吸収フィルタ３０３は省略している。複屈折水晶板３０１の中心軸４０１と水晶結晶軸４０２は、４５°の角度を成し、且つ、結晶光軸を傾けた面に対して複屈折水晶板３０１の長辺方向（副画素の並び方向）が平行になるように切り出されている。これによって被写体側１点の光源から発せられた光は、水晶板をそのまま直進する常光線と、水晶の持つ複屈折作用によって常光線と平行で分離幅δを成して射出する異常光線との水平２点に分離する。この分離幅の大きさに応じて被写体像の空間周波数成分の高周波成分カットを制御することが可能となり、いわゆる光学ローパスフィルタとして作用する。水晶が水晶結晶軸４０２に対する切り出し角度４５°で作られている場合、水晶の複屈折作用による光線分離幅δは、水晶厚み１ｍｍにつき約５．８７μｍである。よって最適なローパス効果を出すために必要な分離幅を得るためには、水晶の厚みをこの値に比例倍することによって簡易的に算出することができる。すなわち、水晶の厚みをｔmｍ、水晶厚み１ｍｍにつき分離される光線分離幅をｈμｍとすると、以下の式により算出することができる。
ｔ（mm）＝δ／ｈ（μｍ）
【００４０】
なお、分離幅δは、撮像素子１０６の画素ピッチｐに対して、δ／ｐ＜１とするのが望ましい。δ／ｐ＝１だと完全に分離像が１画素ずれることを意味し、実質的に画像解像力が半分になるため現実的ではないからである。
【００４１】
撮像素子１０６の受光面である撮像面１０６ａの部分拡大図を図５に示す。撮像面１０６ａは一般的なベイヤー配列のフィルタに覆われており、図５（ｂ）に示すように、赤色検出用の画素Ｒ１、緑色検出用の画素Ｇ１，Ｇ１′、そして青色検出用のＢ１画素を一単位として被写体の色を検出している。そして、所定のアルゴリズムに従って、色を演算し、各Ｒ１、Ｇ１、Ｇ１′、Ｂ１各画素にＲＧＢ信号出力として振り分けられる。図５（ｂ）に示す並びの画素が、撮像面１０６ａ全面に渡って配意されている。
【００４２】
また図５（ａ）に示すように、各画素の前面には被写体光を効率良く受光するために、マイクロレンズ１０６ｄが配置されている。マイクロレンズ１０６ｄの下層には各画素に対応したＲ、Ｇ、Ｂのカラーフィルタ１０６ｅが構成されており、各画素はさらにカメラ水平方向に各々２つの副画素ａ、ｂに分かれている。副画素ａ、ｂは一つのマイクロレンズ１０６ｄに対して瞳分割することになるため、副画素ａ、ｂは、それぞれ光電変換部を有し、各光電変換部の信号出力の相関演算を行うことにより、位相差方式の焦点検出が可能となる。図５（ａ）に示す画素構造は、撮像面１０６ａの全面に渡っており、基本的に撮像範囲全面での位相差検出が可能である。なお、当然のことながら、副画素ａ、ｂの各光電変換部からの出力値を画素毎に加算処理することにより、撮影画像を生成することができる。
【００４３】
図４の被写体側１点の光源４００から発せられた光は、図５（ａ）に示すようにマイクロレンズ１０６ｄの作用で副画素ａ、ｂに分離して結像する。また撮影レンズ１０５による被写体像の焦点状態により、各画素の副画素ａ、ｂの間隔は変化することになるが、各画素の副画素ａ、ｂの中心の間隔は複屈折水晶板３０１の作用による分離幅δとなる。つまり、水平方向に連続的に並ぶＲ画素、Ｇ画素、あるいはＧ′画素、Ｂ画素に亘ってローパス効果が得られることとなり、各画素の副画素ａ、ｂから得られる水平方向の焦点検出用位相差信号にもローパス効果を得ることができる。この効果により、偽色、偽解像による焦点検出誤検出を防ぐことができ、ひいては焦点検出精度を向上させることが可能となる。
【００４４】
なお、本発明における撮像素子と光学フィルタからなる撮像ユニットは、デジタルカメラ、デジタルビデオカメラのようなカメラはもとより、カメラ機能付き携帯電話、カメラ付きコンピュータなど、カメラ機能を備える任意の電子機器に適用することができる。
【符号の説明】
【００４５】
１０６：撮像素子、１０６ｄ：マイクロレンズ、３００：光学フィルタ、３０１：複屈折水晶板、３０５：振動素子、４０１：中心軸、４０２：水晶結晶軸、ａ，ｂ：副画素
【図１】
2018032948.tif 000003
【図２】
2018032948.tif 000004
【図３】
2018032948.tif 000005
【図４】
2018032948.tif 000006
【図５】
2018032948.tif 000007